(57)【要約】【課題】所望の地点情報をユーザ個々に追加及び更新可能なナビゲーション装置を提供する。【解決手段】ナビゲーション装置は、他のコンピュータで編集され、地図データに含まれる既存地点情報と区別して格納される更新地点情報を可搬型記録媒体から取得する取得手段と、この取得手段により更新地点情報が取得された場合に、既存地点情報及び更新地点情報から、入力条件に合致する地点情報を検索する検索手段と、この検索手段により抽出された地点情報のうち、更新地点情報を既存地点情報よりも優先的に上記表示部に表示させる制御手段と、を備える。【選択図】図２７
2010066207.tif 000002
【特許請求の範囲】
【請求項１】
可搬型記録媒体から読み出される地図データを用いてナビゲーション画面を表示部に表示するナビゲーション装置において、
他のコンピュータで編集され、前記地図データに含まれる既存地点情報と区別して格納される更新地点情報を前記可搬型記録媒体から取得する取得手段と、
前記取得手段により更新地点情報が取得された場合に、前記既存地点情報及び前記更新地点情報から、入力条件に合致する地点情報を検索する検索手段と、
前記検索手段により抽出された地点情報のうち、前記更新地点情報を前記既存地点情報よりも優先的に前記表示部に表示させる制御手段と、
を備えることを特徴とするナビゲーション装置。
【請求項２】
前記取得手段により更新地点情報が取得された場合には、前記検索手段に前記更新地点情報のみを検索対象とさせるための設定ボタンを前記表示部に表示させる表示制御手段、
を更に備えることを特徴とする請求項１に記載のナビゲーション装置。
【請求項３】
前記制御手段は、前記検索手段により抽出された地点情報をリスト表示させる場合には、前記更新地点情報を前記既存地点情報よりもリスト上部に表示させることを特徴とする請求項１又は２に記載のナビゲーション装置。
【請求項４】
前記検索手段により抽出された地点情報が表示される画面において、前記更新地点情報のいずれか１つが選択された場合には、この選択された更新地点情報で示される地点を目的地に設定する設定手段、
を更に備えることを特徴とする請求項１から３のいずれか１項に記載のナビゲーション装置。
【請求項５】
可搬型記録媒体から読み出される地図データを用いてナビゲーション画面を表示部に表示するコンピュータで実行される制御プログラムにおいて、
前記コンピュータに、
他のコンピュータで編集され、前記地図データに含まれる既存地点情報と区別して格納される更新地点情報を前記可搬型記録媒体から取得する取得ステップと、
前記取得ステップにより更新地点情報が取得された場合に、前記既存地点情報及び前記更新地点情報から、入力条件に合致する地点情報を検索する検索ステップと、
前記検索ステップにより抽出された地点情報のうち、前記更新地点情報を前記既存地点情報よりも優先的に前記表示部に一覧表示させる制御ステップと、
を実行させることを特徴とする制御プログラム。
【発明の詳細な説明】
【技術分野】
【０００１】
本発明は、ナビゲーション装置及びその制御プログラムに関する。
【背景技術】
【０００２】
ナビゲーション装置は、ＣＤ−ＲＯＭ、ハードディスク、フラッシュメモリ等の記録媒体から地図データを読み出し、人工衛星からの電波を用いて得られた位置情報とその地図データとをモニタ画面に表示させることにより自車をナビゲートする。ところで、道路情報や施設情報等を含む地図データは、逐次変化に対応する必要がある。そこで、地図データ等を記録する記録媒体は、最新の道路や施設の情報に対応するために、所定の周期で新たに提供される。
【０００３】
このようなナビゲーション装置には、自車をナビゲートするにあたって、レストランのお奨め料理情報等の付帯情報を提供する装置がある。このような付帯情報は、道路等の地図データよりも頻繁に変化するため、上記記録媒体での提供以外に、最新の付帯情報を提供する手段が必要となる。下記特許文献１では、最新の付帯情報を通信により提供するナビゲーションシステムが提案されている。
【特許文献１】特開２００４−４１０４号公報
【発明の開示】
【発明が解決しようとする課題】
【０００４】
しかしながら、上述の従来技術では、多くのユーザが望むような情報については最新情報を提供することができるものの、各ユーザ独自に望む情報については対応できない。ナビゲーション装置は、個人所有の車輌だけでなく、タクシーやトラックや客先、販売店等を回る営業担当者が利用する車輌などのような営業車輌、レンタカー等、様々な車輌に搭載されている。よって、ユーザが望む情報はユーザ個々に異なる。多くのユーザが望むような情報とは、例えば、コンビニエンスストアやガソリンスタンド等のような全ユーザがよく利用する施設や、人気スポット等のような有名な施設や大規模な施設などが挙げられる。一方で、各ユーザ独自に望む情報としては、レンタカーや営業車輌等に搭載される場合に自社営業所のようなマイナーな施設や小規模スポットが挙げられる。
【０００５】
このようなマイナーな施設や小規模スポットは標準の地図データには含まれておらず、多くのユーザが望む情報とは限らない。例えば、第１レンタカー会社が自社営業所の地点情報が欲しい場合に、第２レンタカー会社にとっては第１レンタカー会社の営業所の地点情報は不要な情報である。このような施設情報が上記従来技術により通信を介して提供された場合、不要な地点情報が表示されることになりユーザにとって不都合となる場合もある。ところで、このような地点情報は目的地として設定される対象となり、これら地点情報に含まれる複数の地点の中から目的地として設定したい地点（施設等）が検索される。
【０００６】
本発明の課題は、所望の地点情報をユーザ個々に追加及び更新可能なナビゲーション装置を提供することにある。
【課題を解決するための手段】
【０００７】
本発明は、上述した課題を解決するために以下の構成を採用する。即ち、本発明は、可搬型記録媒体から読み出される地図データを用いてナビゲーション画面を表示部に表示するナビゲーション装置に関し、当該ナビゲーション装置が、他のコンピュータで編集され、地図データに含まれる既存地点情報と区別して格納される更新地点情報を上記可搬型記録媒体から取得する取得手段と、この取得手段により更新地点情報が取得された場合に、
既存地点情報及び更新地点情報から、入力条件に合致する地点情報を検索する検索手段と、この検索手段により抽出された地点情報のうち、更新地点情報を既存地点情報よりも優先的に上記表示部に表示させる制御手段と、を備えるというものである。
【０００８】
本発明に係るナビゲーション装置では、既存地点情報を含む地図データが可搬型記録媒体から取得されこれら情報によりナビゲーション画面が表示されている。他のコンピュータで編集され当該既存地点情報と区別してこの可搬型記録媒体に格納された更新地点情報は、既存地点情報と共に検索対象とされる。地点情報は目的地として設定される対象となり、例えばこれら地点情報に含まれる複数の地点の中から目的地として設定したい地点（施設等）が検索される。従って、本発明によれば、各ユーザは、所望の地点情報を他のコンピュータ上で編集し当該可搬型記録媒体に更新地点情報として格納すれば、例えば目的地設定時に所定の地点情報を検索したい場合に、既存の地点情報と共にその所望の地点情報を検索対象とすることができる。
【０００９】
更に、本発明では、検索された結果、抽出された更新地点情報は、同様に抽出された既存地点情報よりも優先的に表示部に表示される。更新地点情報には、既存地点情報に含まれない新たな施設及びスポット、自社の営業所など、ユーザにより所望される地点情報が含められる。
【００１０】
従って、検索された結果としてこの所望の地点情報が優先的に表示されれば、ユーザにとってその検索結果の中から対象となる地点を選択しやすくなる。すなわち、本発明に係るナビゲーション装置によれば、所望の地点情報をユーザ個々に追加及び更新可能であるだけなく、その追加及び更新された所望の地点情報を有効に利用することができる。
【００１１】
本発明において好ましくは、上記取得手段により更新地点情報が取得された場合には、上記検索手段に当該更新地点情報のみを検索対象とさせるための設定ボタンを上記表示部に表示させる表示制御手段を更に備えるように構成する。
【００１２】
この構成によれば、ユーザは、上記設定ボタンを操作することにより、更新地点情報に含めた所望の地点情報のみを検索対象として所定の地点情報を検索することができる。これにより、検索範囲を更新地点情報のみか又は全てかで選択することができるため、便利な検索機能を実現することができる。
【００１３】
抽出された地点情報のうち、更新地点情報を既存地点情報よりも優先的に上記表示部に表示させる例として、本発明では、上記検索手段により抽出された地点情報をリスト表示させる場合に、更新地点情報を既存地点情報よりもリスト上部に表示させるようにしてもよい。
【００１４】
本発明において好ましくは、上記検索手段により抽出された地点情報が表示される画面において、更新地点情報のいずれか１つが選択された場合には、この選択された更新地点情報で示される地点を目的地に設定する設定手段を更に備えるように構成する。
【００１５】
この構成によれば、ユーザにより編集された更新地点情報であっても既存地点情報と同様に目的地に設定することができる。
【発明の効果】
【００１６】
本発明によれば、所望の地点情報をユーザ個々に追加及び更新可能なナビゲーション装置を提供することができる。
【発明を実施するための最良の形態】
【００１７】
以下、本発明の一実施形態としてのナビゲーション装置について具体例を挙げ説明する。ナビゲーション装置としては、例えば車載用として富士通テン株式会社のＡＶＮ（登録商標。Ａｕｄｉｏ  Ｖｉｓｕａｌ  Ｎａｖｉｇａｔｉｏｎ）等がある。以下の実施形態ではカーナビゲーション装置の例を挙げたが、本発明は、車載用に利用できるものであれば如何なるものにも適用可能である。例えば、携帯型のナビゲーション機能を有する電子機器にも適用できる。また、本実施形態におけるナビゲーション装置は、搭載される車輌を限定するものではないが、以下には、レンタカー会社により提供されるレンタカーに搭載される場合を例に挙げる。レンタカー会社を例に挙げるのは、カーナビゲーション装置の機能をカスタマイズしたいという要求が強いからである。本発明は以下の各実施例の構成に限定されない。
【００１８】
〔装置構成〕
図１は、ナビゲーション装置１の外観図である。ナビゲーション装置１は、２ＤＩＮ（Ｄｅｕｔｓｃｈｅ  Ｉｎｄｕｓｔｒｉｅ  Ｎｏｒｍｅｎ）の本体・モニタ一体型カーナビゲーション装置であり、車両の現在地や目的地までの経路の案内等を行うカーナビゲーション機能や、各種オーディオ／ビジュアル（以下、ＡＶという）コンテンツの再生機能、放送波を受信する機能等を有している。ナビゲーション装置１は、運転席や助手席の乗員の手が届きやすいダッシュボードの中央付近に設置された状態で使用されるものであり、メインユニット２とディスプレイユニット３とで構成されている。
【００１９】
図２は、ナビゲーション装置１の構成図である。メインユニット２は、電子部品類で構成されており、ブレーキ検知部４、リバース検知部５、携帯式プレーヤインターフェース６、放送波受信部７、外部音声／映像入力部８、ＧＰＳ情報受信部９、車速検知部１０、カメラ映像入力部１１、アンプ１２、開閉制御部１３Ａ、角度制御部１３Ｂ、角度センサ１４、モータ１５、ＣＤドライブ１６、カードメモリインターフェース１７、リセットボタン１８、ジャイロセンサ１９、制御部２０が内蔵されている。ディスプレイユニット３は、主に、車両の乗員に対して各種の情報を映像で表示するとともに、ユーザ操作を受け付ける役割を司るデバイス類で構成されており、タッチパネル２１、表示処理部２２、操作受付部２３、操作ボタン２４、赤外線受／発光部２５を内蔵している。
【００２０】
以下、メインユニット２の構成について説明する。ブレーキ検知部４は、車両のパーキングブレーキがかけられているか否かを検知し、これを制御部２０に通知する。ブレーキ検知部４は、パーキングブレーキレバー（あるいはペダル）の動きと連動してオンオフするスイッチの通電状態により、ブレーキの状態を検知する。ブレーキ検知部４は、このスイッチの通電状態を、端子２６Ａを介して電気的に検知する。
【００２１】
リバース検知部５は、車両の変速レバーがリバース（後進）になっているか否かを検知し、これを制御部２０に通知する。リバース検知部５は、変速レバーと連動して動くスイッチのオンオフにより、変速レバーの状態を検知する。リバース検知部５は、このスイッチの通電状態を、端子２６Ｂを介して電気的に検知する。
【００２２】
携帯式プレーヤインターフェース６は、音楽等を再生する携帯式のプレーヤ（例えば、ｉＰｏｄ（登録商標））と双方向通信を行うためのインターフェースである。携帯式プレーヤインターフェース６は、このような携帯式のプレーヤが外部接続されると双方向通信を開始し、プレーヤから送られるオーディオ信号を制御部２０へ送り、制御部２０から送られる再生開始や曲送り等の制御信号をプレーヤへ送る。携帯式プレーヤインターフェース６は、端子２６Ｃに接続されるコードを介してプレーヤと通信を行う。
【００２３】
放送波受信部７は、ＡＭチューナ（ＡＭ：Ａｍｐｌｉｔｕｄｅ  Ｍｏｄｕｌａｔｉｏｎ）、及びＦＭチューナ（ＦＭ：Ｆｒｅｑｕｅｎｃｙ  Ｍｏｄｕｌａｔｉｏｎ）で構成され
る回路である。放送波受信部７は、制御部２０からの制御信号に応じてチューナの受信状態を制御し、端子２６Ｄに接続されるアンテナが受信した電波の信号を制御部２０へ送る。なお、放送波受信部７は、ワンセグチューナ（「ワンセグ」は商標登録出願中）を含んでいてもよい。
【００２４】
外部音声／映像入力部８は、端子２６Ｅに接続されるビデオ／オーディオ機器からのコンポジット映像信号や音声信号を受け付け、これを制御部２０へ送る回路である。
【００２５】
ＧＰＳ情報受信部９（ＧＰＳ：Ｇｌｏｂａｌ  Ｐｏｓｉｔｉｏｎｉｎｇ  Ｓｙｓｔｅｍ）は、端子２６Ｆに接続されるＧＰＳアンテナが受信したＧＰＳ衛星からの電波の信号を受信し、受信した信号を制御部２０へ送る。周知のように、ＧＰＳは、地球を周回する多数のＧＰＳ衛星のうち少なくとも３つ以上の衛星からの電波に基づいて車両の位置を測位するシステムである。ＧＰＳ情報受信部９は、地球を周回するこれらＧＰＳ衛星の電波の信号を処理する。ＧＰＳ情報受信部９によって受信されたＧＰＳ衛星からの信号は、カーナビゲーションに用いられる。
【００２６】
車速検知部１０は、車軸の回転角に応じて発生する車速パルス信号を検知し、これを制御部２０へ送る回路である。車速検知部１０が検知する車速パルス信号は、車速センサ又は車両のエンジンやブレーキを制御する電子制御ユニットから出力されるステップ状の車速パルス信号であり、単位時間当たりのパルス数から車両速度を割り出す際に用いられる。単位時間当たりのパルス数が増えていれば車両が加速しており、減っていれば車両が減速していることになる。車両の速度と車速パルスとの相関関係は、車両を製造するメーカや車種、装着される車輪の大きさや空気圧等に応じて変化する。このため、制御部２０では、ＧＰＳによる測位結果に基づいて算出される車両の移動距離とその間を走行する間に検知されたパルス数との相関から、車両の速度と車速パルスとの相関関係が適宜更新される。車速検知部１０は、電子制御ユニットから出力される車速パルス信号を、端子２６Ｇを介して電気的に検知する。
【００２７】
カメラ映像入力部１１は、車両の後方を撮影するビデオカメラであるバックアイカメラからの映像信号を受け付け、制御部２０へ送る回路である。すなわち、カメラ映像入力部１１は、リバース検知部５が車両のリバースを検知した際、端子２６Ｈに接続されているビデオカメラからの映像信号を制御部２０へ送る。
【００２８】
アンプ１２は、制御部２０から車室内に設置されるスピーカへ送られる音声信号を増幅する回路である。アンプ１２は、制御部２０からの制御信号に応じて増幅率を任意に変更可能である。
【００２９】
開閉制御部１３Ａは、ディスプレイユニット３の開閉動作を行う回路である。開閉制御部１３Ａは、制御部２０からの制御信号に応じてモータ１５を制御したり、角度センサ１４からの信号を処理したりすることにより、ディスプレイユニット３を開閉する。図３は、制御部２０からの制御信号を受けた開閉制御部１３Ａがモータ１５を制御することにより実現するディスプレイユニット３の開閉動作を示したものである。開閉制御部１３Ａは、図３に示すように、ディスプレイユニット３の姿勢を三段階に調整することが可能であり、ＣＤドライブ１６（ＣＤ：Ｃｏｍｐａｃｔ  Ｄｉｓｃ）の挿入口を閉じた「クローズ」状態、ＣＤドライブ１６のＣＤ挿入口２７を開いた「セミオープン」状態、及びカードメモリインターフェース１７のカード挿入口２８やリセットボタン１８を開いた「フルオープン」状態を実現する。ディスプレイユニット３の姿勢が「クローズ」状態の場合、ＣＤ挿入口２７やカード挿入口２８、リセットボタン１８はディスプレイユニット３に隠れた状態である。また、ディスプレイユニット３の姿勢が「セミオープン」状態の場合、カード挿入口２８やリセットボタン１８がディスプレイユニット３に隠れ、ＣＤ挿入口２７
がナビゲーション装置１の正面からアクセス可能な状態になる。また、ディスプレイユニット３の姿勢が「フルオープン」状態の場合、ＣＤ挿入口２７、カード挿入口２８、及びリセットボタン１８がナビゲーション装置１の正面からアクセス可能な状態になる。
【００３０】
角度制御部１３Ｂは、ディスプレイユニット３の角度調整を行う回路である。角度制御部１３Ｂは、開閉制御部１３Ａと同様、制御部２０からの制御信号に応じてモータ１５を制御したり、角度センサ１４からの信号を処理したりすることにより、ディスプレイユニット３の角度を調整する。なお、ディスプレイユニット３の角度とは、ナビゲーション装置１の左右方向に伸びる軸を中心とする、メインユニット２の正面とディスプレイユニット３の正面（すなわち、タッチパネル２１の表面）との相対的な角度である。角度制御部１３Ｂは、ディスプレイユニット３の仰角を多段階に調整してチルトアップすることが可能である。
【００３１】
角度センサ１４は、ディスプレイユニット３の角度を検知するセンサであり、検知した角度を電気信号で開閉制御部１３Ａへ通知する。モータ１５は、ディスプレイユニット３の角度を調整するモータであり、ディスプレイユニット３の上端を上下に動かしたり、ディスプレイユニット３の下端を前後に動かしたりする。開閉制御部１３Ａおよび角度制御部１３Ｂは、制御部２０からの制御信号を受けると、角度センサ１４で検知されるディスプレイユニット３の角度と制御信号に基づいて決定される角度の目標値との差を割り出し、角度センサ１４で検知されるディスプレイユニット３の角度が制御目標値と一致するようにモータ１５をフィードバック制御する。
【００３２】
ＣＤドライブ１６は、音楽等のオーディオコンテンツが記録されたＣＤを読み取って再生する光ディスク読取装置であり、光ピックアップレンズや発光素子、ディスク駆動モータ等で構成されている。
【００３３】
カードメモリインターフェース１７は、不揮発性の半導体メモリカードを読み書きするメモリカードリーダライタである。制御部２０は、カードメモリインターフェース１７に挿入されるメモリカードにアクセスし、このメモリカードに記録されているデータを取得することでカーナビゲーションのルート検索等の諸機能を実現する。
【００３４】
メモリカードは、４ＧＢ程度の記憶容量を持ち、標準データを格納する標準記憶エリアと一般ユーザにより変更可能なアプリケーションデータを格納するカスタマイズ記憶エリアとに区分け管理される。標準記憶エリアには、高速道路や一般道等の道路情報、テーマパーク、ガソリンスタンドといった各種施設に関する地点情報（以降、ＰＯＩデータとも表記）等を含む地図データ、ルートガイダンスのための音声データ、電話番号や施設名称や住所等の各種施設に関する詳細情報（以降、ＰＯＩ詳細データとも表記する）等が記録されている。ＰＯＩ詳細データには、各ＰＯＩのアイコンデータも含む。ＰＯＩデータ及びＰＯＩ詳細データが本発明の地図データに相当する。一方、カスタマイズ記憶エリアには、アプリケーションデータが格納される。アプリケーションデータには、オープニング画面データ、利用規約データ、お知らせデータ、ＰＯＩデータ等が含まれる。以降、アプリケーションデータに含まれるオープニング画面データ及びＰＯＩデータをそれぞれ更新オープニング画面データ、追加ＰＯＩデータと表記する。追加ＰＯＩデータには、標準記憶エリアに格納されるＰＯＩデータ及びＰＯＩ詳細データと同種のデータが含まれる。これらアプリケーションデータに含まれる各データは、それぞれ所定のフォーマットで個々のファイルに分けられることで識別されてもよいし、１つのファイルに複数のデータが格納されるようにして所定オフセットで識別されるようにしてもよい。
【００３５】
カスタマイズ記憶エリアに格納されるアプリケーションデータは、パーソナルコンピュータ等の他のコンピュータ（本件発明における他のコンピュータに相当、以降、他のコン
ピュータと表記）上で実行される専用アプリケーションにより生成及び編集することができる。例えば、レンタカー会社の担当者は、上記専用アプリケーションを用いてアプリケーションデータを編集し、このアプリケーションデータをメモリカードに格納した後、カードメモリインターフェース１７のカード挿入口２８へ当該メモリカードを挿入する。各アプリケーションデータの用いられ方については後述する。なお、標準記憶エリアに格納されるデータは、レンタカー会社等のユーザによる変更が許可されていない。
【００３６】
ジャイロセンサ１９は、メインユニット２に内蔵される２軸ジャイロセンサである。ジャイロセンサ１９は、ＧＰＳ衛星からの電波をＧＰＳ情報受信部９が受信できない時でも車両の測位を可能にするためのものである。なお、ＧＰＳ衛星からの電波を受信できない時の車両の位置は、制御部２０により、車速検知部１０が検知する車両速度とジャイロセンサ１９が検知する車両の進行方向とに基づいて算出される。
【００３７】
制御部２０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。制御部２０は、車両のアクセサリー電源がオンになると、ＲＯＭに記録されたコンピュータプログラムを実行し、カードメモリインターフェース１７に挿入されたメモリカードのデータやＲＡＭに格納されているデータ等を使って各種機能を実現する。制御部２０が実現する各種機能の詳細については後述する。
【００３８】
次に、ディスプレイユニット３を構成する各構成要素について説明する。タッチパネル２１は、カラー液晶ディスプレイとタッチセンサとを組み合わせたＧＵＩ（Ｇｒａｐｈｉｃａｌ  Ｕｓｅｒ  Ｉｎｔｅｒｆａｃｅ）であり、７．０インチのＥＧＡ（Ｅｎｈａｎｃｅｄ  Ｇｒａｐｈｉｃｓ  Ａｄａｐｔｅｒ）型液晶ディスプレイで画面を表示すると共に、画面に表示されたアイコン等が押されるとタッチセンサがこれを検知する。
【００３９】
表示処理部２２は、タッチパネル２１の液晶ディスプレイに表示する画面を描画処理する回路である。表示処理部２２は、制御部２０から送られる映像信号に基づき、液晶ディスプレイに格子状に均等配列された薄膜トランジスタを駆動することで、タッチパネル２１の画面を描画する。
【００４０】
操作受付部２３は、タッチパネル２１へのタッチ操作をタッチセンサが感知すると、タッチされた画面上の位置を特定し、操作された位置の情報を制御部２０へ送る。
【００４１】
操作ボタン２４は、タッチパネル２１にアイコン表示されるボタンではなく、機械的なボタンであり、図１等に示すように、タッチパネル２１の下に配置される操作用の押しボタン式スイッチである。操作ボタン２４は、ディスプレイユニット３の左側から順に、開閉ボタン、現在地ボタン、音量調整ボタンで構成されている。音量調整ボタンは、右側が押されると音量アップ、左側が押されると音量ダウンになるように設定されている。これらのボタンが押されると、押されたボタンの信号が制御部２０へ送られる。
【００４２】
赤外線受／発光部２５は、ナビゲーション装置１と携帯電話とが赤外線で双方向通信を行うためのインターフェースであり、電気で赤外線を発光する発光素子と、受光した赤外線を電気にする受光素子で構成されている。赤外線受／発光部２５は、制御部２０から送られる制御信号やデータを携帯電話へ送るとともに、携帯電話から送られる制御信号やデータを制御部２０へ送る。
【００４３】
次に、メインユニット２の制御部が実現する各種諸機能について詳述する。図４は、制御部２０が実現する各種機能部を図示した機能ブロック図である。車両のアクセサリー電
源がオンになると、制御部２０は、図４に示すような、初期処理機能部５０、操作処理機能部５１、測位機能部５２、ルート案内機能部５３、地図データ処理機能部５４、ユーザデータ処理機能部５５、音声処理機能部５６、及び映像処理機能部５７等を実現するコンピュータプログラムを実行する。
【００４４】
初期処理機能部５０は、ナビゲーション装置１の初期化処理を実行する。初期処理機能部５０は、初期化処理として、例えば、ナビゲーション装置１のハードウェア異常をチェックする。初期処理機能部５０は、ハードウェア異常を検知すると、この異常状態を示すコーション画面を表示するよう制御する。初期処理機能部５０は、初期化処理を継続しながら、オープニング画面を表示するように制御する。初期処理機能部５０は、初期化処理が完了すると、オープニング画面を閉じ、映像処理機能部５７に所定の画面を表示するように指示する。
【００４５】
操作処理機能部５１は、各種機能部の動作を制御するための操作画面を、映像処理機能部５７を介してタッチパネル２１に表示したり、操作受付部２３や操作ボタン２４、リセットボタン１８からの操作信号を処理し、各種機能部の動作を制御したりする。
【００４６】
測位機能部５２は、車両のアクセサリー電源がオンになると、ＧＰＳ情報受信部９から送られる衛星からの電波の情報、車速検知部１０から通知される車両速度の情報、及びジャイロセンサ１９から送られる角速度の情報に基づいて車両の位置（緯度と経度）を測位する。
【００４７】
ルート案内機能部５３は、車両の現在地からユーザが設定した目的地までのルートを索出し、ルート案内を行う機能部である。ルート案内機能部５３は、測位機能部５２が測位した車両の位置から目的地までの走行ルートを、カードメモリインターフェース１７に挿入されるメモリカードの地図データから索出する。ルート案内機能部５３は、索出した走行ルートと車両の位置との関係から車両の進路を決定し、この決定された進路に基づいてルートガイダンスのための音声データや地図画像データがメモリカードから読み出される。ルート案内機能部５３は、このように読み出された音声データを音声処理機能部５６に送り、地図画像データを映像処理機能部５７に送ることにより、音声及び映像によりルート案内を行う。
【００４８】
地図データ処理機能部５４は、メモリカードの標準記憶エリアから読み出される地図データやルート案内機能部５３が索出した走行ルートのデータ、放送波受信部７を介してＦＭ放送波から取得されるＶＩＣＳ（登録商標）の道路交通情報のデータ、測位機能部５２が測位した車両の位置データ等に基づき、タッチパネル２１に表示する地図のグラフィックデータを生成する。
【００４９】
ユーザデータ処理機能部５５は、ユーザが登録しようとする地点情報（例えば、返却場所の位置情報等）やルート検索の履歴情報、アイコンの表示非表示等の設定情報をＲＡＭで保持したり、ＲＡＭから読み出したりする。
【００５０】
音声処理機能部５６は、アンプ１２を介してスピーカから出力する音声の信号を処理する機能部である。すなわち、音声処理機能部５６は、放送波受信部７が受信したラジオ放送、携帯式プレーヤインターフェース６がプレーヤから取得するオーディオ信号、ＣＤドライブ１６が再生するオーディオ信号をアンプ１２へ送ったり、これらのオーディオ信号にルート案内機能部５３からのルートガイダンスの音声信号を重畳し、アンプ１２へ送ったりする。
【００５１】
映像処理機能部５７は、タッチパネル２１に表示させる映像データを生成する機能部で
ある。すなわち、映像処理機能部５７は、操作処理機能部５１が生成する操作画面のデータと、地図データ処理機能部５４が生成する表示用地図の画面のデータとを重畳して表示処理部２２へ送ったり、放送波受信部７が受信したテレビジョン放送の映像データを表示処理部２２へ送ったり、或いはリバース検知部５による車両後退の検知に連動してカメラ映像入力部１１からの映像信号を表示処理部２２へ送ったりする。なお、映像処理機能部５７は、テレビジョン放送の映像データを表示処理部２２へ送っている際にブレーキ検知部４がパーキングブレーキの解除を検知すると、映像データの通知を止める。
【００５２】
〔動作例〕
以下、ナビゲーション装置１の動作例について説明する。
〈起動時〉
まず、ナビゲーション装置１の起動時の動作について図５を用いて説明する。図５は、ナビゲーション装置１の起動時の処理を示すフローチャートである。車両のアクセサリー電源がオンになり、ナビゲーション装置１に電力が供給されると、制御部２０は、ＲＯＭに格納されているコンピュータプログラムを実行する。このコンピュータプログラムが実行されることにより、図４に示す各機能部がそれぞれ実現される。各機能部のうち、まず、初期処理機能部５０が動作する。
【００５３】
初期処理機能部５０は、初期化処理の一部としてカードメモリインターフェース１７が正常に動作していることを確認すると、そのカードメモリインターフェース１７にメモリカードが挿入されているか否かを確認する（Ｓ６１）。この確認は、例えば、メモリカード内の標準記憶エリアにアクセス可能か否かで判断される。初期処理機能部５０は、メモリカードが挿入されていないと判断すると（Ｓ６１；ＮＯ）、その旨を示すコーション画面を表示する（Ｓ６３）。メモリカードには地図データ等が格納されているため、メモリカードが挿入されていない場合、ナビゲーション装置１はナビゲーション機能を実行することができない。初期処理機能部５０は、このコーション画面によってメモリカードが挿入されていないことを注意喚起する。コーション画面は、予めＲＯＭに格納される画面データが初期処理機能部５０により読み出され、その画面データが映像処理機能部５７に送られることによりタッチパネル２１に表示される。
【００５４】
初期処理機能部５０は、メモリカードが挿入されていると判断すると（Ｓ６１；ＹＥＳ）、メモリカードのカスタマイズ記憶エリアに更新オープニング画面データが格納されているか否かを確認する（Ｓ６２）。初期処理機能部５０は、メモリカードに更新オープニング画面データが格納されていると判断すると（Ｓ６２；ＹＥＳ）、その更新オープニング画面データをメモリカードから読み出す（Ｓ６４）。一方、初期処理機能部５０は、メモリカードに更新オープニング画面データが格納されていないと判断すると（Ｓ６２；ＮＯ）、予めＲＯＭに格納されている既存のオープニング画面データを取得する（Ｓ６５）。初期処理機能部５０は、取得された更新オープニング画面データ又は既存のオープニング画面データを映像処理機能部５７に送ることにより、オープニング画面をタッチパネル２１に表示させる。すなわち、初期処理機能部５０は、メモリカードから更新オープニング画像データを取得することができた場合には、この更新オープニング画像データに基づいてオープニング画面を表示させ、更新オープニング画像データを取得することができなかった場合には、既存のオープニング画像データに基づいてオープニング画面を表示させる。
【００５５】
図６は、既存オープニング画面が更新オープニング画面に変更される概念を示す図である。Ｄ１００（１）が既存オープニング画面データに基づいて表示される既存オープニング画面であり、例えば、ナビゲーション装置１の製品名称が表示される。Ｄ１００（２）は、更新オープニング画面データに基づいて表示される更新オープニング画面である。図６の例のように、ナビゲーション装置１を搭載するレンタカー会社は、Ｄ１００（２）の
ような自社名を強調するオープニング画面に変更したいと望む。このような場合、レンタカー会社の担当者は、Ｄ１００（２）のための更新オープニング画面データを他のコンピュータ上で生成し、この生成されたデータをメモリカードに格納することで、所望のオープニング画面に変更することができる。ナビゲーション装置１が個人所有車や営業車輌に搭載される場合にも、同様に、好みの更新オープニング画面データを表示させるようにしてもよい。
【００５６】
ここで、更新オープニング画面データの構成について説明する。例えば、更新オープニング画面データは、図６に示すように、中央部に表示される画像データ（Ｄ１００（２）−１）と、その周辺に表示される背景データ（Ｄ１００（２）−２）とから構成される。画像データ（１００（２）−１）は、ビットマップファイルとして生成され、背景データ（Ｄ１００（２）−２）は、ＲＧＢ色モデルのＲ値、Ｇ値、Ｂ値をそれぞれ格納するバイナリファイルとして生成される。画像データ（１００（２）−１）は、ビットマップ形式に限られず、ＰＮＧ（Portable Network Graphics）形式、ＧＩＦ（Graphic Interchange
Format）形式、ＪＰＥＧ（Joint Photographic Experts Group）形式等で生成されても
よい。背景データ（Ｄ１００（２）−２）は、ＲＧＢ色モデルに限られず、ＣＭＹＫ色モデルが利用されてもよい。このように、更新オープニング画面データは、全表示サイズよりも小さい画像を格納する画像データ（Ｄ１００（２）−１）と、その周辺の背景の色指定データ（Ｄ１００（２）−２）とで構成される。画像データの画像サイズは、メモリカードの容量が考慮されて決められる。背景データで指定される色は、単色又は所定の数で構成される。このような構成とすることにより、更新オープニング画面データのトータルデータサイズを小さくすることができ、データ容量が制限されるメモリカードにも格納可能となる。なお、データ容量の大きいメモリカードを利用することができる場合には、画像データＤ１００（２）−１のみで更新オープニング画面データを構成するようにしてもよい。
【００５７】
続いて、初期処理機能部５０は、メモリカード内のカスタマイズ記憶エリアに格納される他のアプリケーションデータを読み出す（Ｓ６７）。読み出されるアプリケーションデータには、利用規約データ、お知らせデータ、追加ＰＯＩデータ等が含まれる。これら読み出されるデータは、レンタカー会社等のユーザにより生成されたデータであるため、個人情報保護の観点から暗号化されていてもよい。上記更新オープニング画面データも同様に暗号化されていてもよい。初期処理機能部５０は、読み出されたデータが暗号化されている場合には、そのデータを所定の手法により復号する（Ｓ６８）。暗号化手法及び復号手法は公知の技術が利用されればよいため、ここでは説明を省略する。初期処理機能部５０は、メモリカードから読み出され、必要に応じて復号処理されたアプリケーションデータをＲＡＭに保持しておく。
【００５８】
初期処理機能部５０は、オープニング画面を表示しながら上述のような処理を含む所定の初期化処理を実行する。オープニング画面が表示されている間、制御部２０の他の各機能部では、次のような処理が実行される。操作処理機能部５１は、操作受付部２３や操作ボタン２４、リセットボタン１８からの信号を走査してユーザ操作を受け付ける。測位機能部５２は、ＧＰＳ情報受信部９で取得される測位情報や車速検知部１０、ジャイロセンサ１９の信号を処理し、車両の位置を測定する。地図データ処理機能部５４は、カードメモリインターフェース１７に挿入されているメモリカードへアクセスし、測位機能部５２が測位した自車位置の周辺の地図データを読み出す。初期処理機能部５０は、所定の初期化処理を完了するか又はオープニング画面を表示させてから所定の時間が経過するとオープニング画面を閉じるように映像処理機能部５７に指示する。これにより、オープニング画面は、ナビゲーション装置１が起動されてから数秒間表示される。
【００５９】
続いて、初期処理機能部５０は、メモリカードに格納されるアプリケーションデータに
利用規約データが含まれているか否かを確認する（Ｓ６９）。初期処理機能部５０は、利用規約データが含まれていると判断すると（Ｓ６９；ＹＥＳ）、この利用規約データを映像処理機能部５７に送ることによりオープニング画面の次に利用規約画面を表示させる（Ｓ７０）。初期処理機能部５０は、アプリケーションデータに利用規約データが含まれていない場合には（Ｓ６９；ＮＯ）、利用規約画面を表示させない。
【００６０】
図７は、利用規約画面の例を示す図である。このような画面を表示させることにより、ナビゲーション装置１を搭載するレンタカー会社は、レンタカー利用者にナビゲーション装置１の利用前にこの利用規約を再認識させることができる。利用規約画面（Ｄ１０１）において同意操作が行われると、この利用規約画面（Ｄ１０１）は閉じられる。利用規約画面（Ｄ１０１）は、初期処理機能部５０によりメモリカードから取得され保持されている利用規約データに基づいて生成される。利用規約データは、利用規約画面に表示される文字列情報を含むテキストファイルとして生成される。レンタカー会社の担当者は、利用規約画面に表示させたい文字列を含む利用規約データを他のコンピュータにより生成し、この生成されたデータをメモリカードに格納することで、所望の利用規約画面を表示させることができる。逆に、利用規約画面を表示させる必要のない場合には、利用規約データをメモリカードに格納しなければよい。
【００６１】
初期処理機能部５０は、利用規約画面（Ｄ１０１）が閉じられると、映像処理機能部５７にＡＶの操作画面とナビの操作画面とを組み合わせたマルチ画面をタッチパネル２１に表示するように指示する（Ｓ７１）。
【００６２】
このように、ナビゲーション装置１によれば、装置として予め設けられたオープニング画面であっても、ユーザは、ナビゲーション装置１の用途に応じて、そのオープニング画面をカスタマイズすることができる。オープニング画面は、装置起動時に最初に表示される画面であるため注目度が高い。従って、上述のようにオープニング画面がカスタマイズ可能とされることは利便性が向上するためユーザにとって魅力的である。更に、ナビゲーション装置１によれば、上記利用規約画面のような、装置として提供されていない新たな画面をユーザに追加させることを可能とする。この場合、ユーザはテキストデータをメモリカード内に格納するだけでよいため、簡単にその新たな画面を追加することができる。
【００６３】
〈ナビゲーションメイン画面表示時〉
上述のような初期処理機能部５０による起動時処理（初期処理）が完了すると、以下に示すナビゲーション機能を実現する各メイン画面が表示される。図８は、ナビゲーション装置１のメイン画面の画面遷移図である。マルチ画面（Ｄ１０２）、ナビ全画面（Ｄ１０３）、オーディオ全画面（Ｄ１０４）がナビゲーション装置１のナビゲーション機能を実現するメイン画面である。以降、図８から１０を用いて、これらメイン画面に関連するナビゲーション装置１の動作について説明する。図９はナビに関する画面遷移図である。図１０はＡＶ画面の表示モードを示した図である。
【００６４】
映像処理機能部５７は、初期処理機能部５０からマルチ画面の表示指示を受けると、ＲＯＭに格納されている操作ボタン類の画像データや地図データ処理機能部５４が読み出した地図データを基に、ＡＶの操作画面とナビの操作画面とを組み合わせたマルチ画面（Ｄ１０２）を生成し、このマルチ画面をタッチパネル２１に表示させる。図１１は、マルチ画面の例を示す図である。映像処理機能部５７は、図１１に示すように、ＡＶ類の操作ボタン類を配置したＡＶ領域の画面をタッチパネル２１の左側に表示し、ナビの地図や操作ボタン類を配置したナビ領域の画面をタッチパネル２１の右側に表示させる。ＡＶ領域は、更に、ソースを選択するための操作ボタン類をまとめて表示するソース選択領域と、選択されたソースに関連するボタンや情報を表示するソース操作領域とに区分されている。
【００６５】
図１１に示すように、映像処理機能部５７は、ＡＶ領域の内のソース選択領域に、「ラジオ」、「ＣＤ」、「ｉＰｏｄ」、「外部入力」、「ＯＦＦ」、及び「ＡＶ」ボタンを表示させる。何れかのソースボタンがタッチされると、そのソースが選択される。図１１の例では、「ラジオ」が選択されており、受信周波数やＡＭ／ＦＭの切り替えボタン、選局ボタン等の選択されたソースに関連する操作ボタンや情報がソース操作領域に表示されている状態を図示している。従って、このとき、音声処理機能部５６は、放送波受信部７が受信したＡＭ放送の音声信号を、アンプ１２を介してスピーカから出力させている。なお、放送波受信部７にワンセグチューナが含まれている場合には、ＡＶ領域に、「ワンセグ」ボタンを表示するようにしてもよい。他方、映像処理機能部５７は、ナビ領域に、地図データ処理機能部５４が読み出した地図データに基づいて描画される地図の他、「メニュー」、「目的地」、「周辺」、「返却場所」、「ナビ」、「地図拡大」、及び「地図縮小」ボタンを表示させる。なお、マルチ画面（Ｄ１０２）では、ＡＶ領域とナビ領域の２つが存在するため、ＡＶ領域がＡＶ全画面（Ｄ１０４）の時よりも狭い。そこで、マルチ画面（Ｄ１０２）のソース操作領域には、そのソースに関わる操作ボタンや情報のうち基本的なものだけが表示されるようになっている。
【００６６】
図１２は、ナビ全画面の例を示す図である。映像処理機能部５７は、マルチ画面（Ｄ１０２）に表示されている「ナビ」ボタンが押されたことを操作処理機能部５１が検知すると、ＡＶ領域を徐々に隠し、ナビ領域を全画面に表示させる。映像処理機能部５７は、図１２に示すように、ＡＶ領域を消し、ナビ領域をタッチパネル２１に全画面表示させる。
【００６７】
ナビ領域には、マルチ画面（Ｄ１０２）と同様、地図や、「メニュー」、「目的地」等の操作ボタンが表示されている。ここで、映像処理機能部５７は、ナビ全画面に表示される自車位置のアイコンが、ナビ領域の中心に位置するように画面を表示している。このため、タッチパネル２１の表示画面がマルチ画面（Ｄ１０２）からナビ全画面（Ｄ１０３）に遷移すると、自車位置のアイコンや地図の表示が、画面内で若干スクロールする。一方、映像処理機能部５７は、「メニュー」や「目的地」等の操作ボタン類がタッチパネル２１の表示画面上で同じ位置になるように画面を表示させる。このため、タッチパネル２１の表示画面がマルチ画面（Ｄ１０２）からナビ全画面（Ｄ１０３）に遷移しても、ナビの操作ボタン類がタッチパネル２１の画面上でスクロールせず、同じ位置に表示され続ける。但し、「ナビ」ボタンのみ「ＡＶ＋ナビ」ボタンに表示が切り替えられる。「ＡＶ＋ナビ」ボタンが押されると、映像処理機能部５７は、ナビ全画面（Ｄ１０３）からマルチ画面（Ｄ１０２）へ表示を切り替える。
【００６８】
図１３は、ＡＶ全画面の例を示す図である。映像処理機能部５７は、マルチ画面（Ｄ１０２）に表示されている「ＡＶ」ボタンが押されたことを操作処理機能部５１が検知すると、ナビ領域を徐々に隠し、ＡＶ領域を全画面に表示させる。映像処理機能部５７は、図１３に示すように、ナビ領域を消し、ＡＶ領域をタッチパネル２１に全画面表示させる。
【００６９】
ＡＶ領域には、マルチ画面（Ｄ１０２）と同様、「ラジオ」、「ＣＤ」、「ｉＰｏｄ」、「外部入力」、及び「ＯＦＦ」ボタンがソース選択領域に表示されている。また、ＡＶ領域には、ソース操作領域が拡大されて、マルチ画面（Ｄ１０２）で表示されていなかった放送局の名称やプリセットの選局ボタン、チャンネル設定ボタンや音設定ボタンが表示されている。また、ＣＤドライブ１６にＣＤが挿入されていることを示す「ＣＤＩＮ」が表示されている。ここで、ＡＶ領域には、マルチ画面（Ｄ１０２）で表示されていた「ラジオ」等の操作ボタン類が同じ位置に表示されている。但し、「ＡＶ」ボタンのみ「ＡＶ＋ナビ」ボタンに表示が切り替えられる。以下、マルチ画面（Ｄ１０２）とＡＶ全画面（Ｄ１０４）の両方で表示される領域を「ＡＶ通常領域」といい、ＡＶ全画面（Ｄ１０４）でのみ表示される領域を「ＡＶ拡張領域」という。「ＡＶ＋ナビ」ボタンが押されると、映像処理機能部５７は、ＡＶ全画面（Ｄ１０４）からマルチ画面（Ｄ１０２）へ表示を切
り替える。なお、ＡＶ全画面（Ｄ１０４）では、ナビ領域が存在しないので、ＡＶ領域がマルチ画面（Ｄ１０２）の時よりも広い。そこで、ＡＶ全画面（Ｄ１０４）のソース操作領域には、そのソースに関わる全ての操作ボタンや情報が表示されるようになっている。このように、ＡＶ全画面（Ｄ１０４）の場合にのみ表示されるソースの操作ボタンや情報類の表示領域が「ＡＶ拡張領域」であり、ソース操作領域の一部を構成している。一方、マルチ画面（Ｄ１０２）とＡＶ全画面（Ｄ１０４）の何れにも表示されるソースの操作ボタンや情報類の表示領域が「ＡＶ通常領域」であり、ソース操作領域の一部とソース選択領域とを構成している。
【００７０】
図１４は、メイン画面の画面遷移の様子を示した概念図である。ユーザは、図１４に示すように、表示窓から覗き込むと見える右側の面（本実施形態でいうナビ画面に相当する）の上に、左側の面（本実施形態でいうＡＶ画面に相当する）が左側から抜き差しされるようなイメージで、ナビゲーション装置１のメイン画面を操作できる。よって、今どこにいるのかが判りやすく、安心して操作することができる。
【００７１】
次に、ナビゲーション装置１のＡＶ画面の表示モードについて説明する。図１０で示したように、ナビゲーション装置１のＡＶ画面には、ラジオモード、ＣＤモード、ｉＰｏｄモード、外部入力モード、及びオフモードの６つの画面が用意されている。映像処理機能部５７は、ＡＶ領域の左側に用意されている何れかのソース選択ボタン或いは「ＯＦＦ」ボタンが押されると、これに対応するモードのＡＶ操作画面を表示させる。映像処理機能部５７は、例えば、「ラジオ」ボタンが押されれば、図１１に示すようなラジオの周波数や選局ボタンを表示させる。ＣＤやｉＰｏｄボタンについても同様である。また、映像処理機能部５７は、「外部入力」ボタンが押されれば、ＡＶ領域に選局ボタン等を表示させると共に、ナビ領域の表示を外部音声／映像入力部８の映像に切り替える。但し、映像処理機能部５７は、ブレーキ検知部４がパーキングブレーキ信号の解除を検知した場合、放送波受信部７や外部音声／映像入力部８からの映像表示を止める。なお、放送波受信部７にワンセグチューナが含まれている場合には、ＡＶ画面にはワンセグモードが設けられ、「ワンセグ」ボタンが押されれば、ＡＶ領域に選局ボタン等を表示すると共に、ナビ領域の表示を放送波受信部７からの映像に切り替えるようにすればよい。
【００７２】
図１１に示されるマルチ画面（Ｄ１０２）及び図１３に示されるＡＶ全画面（Ｄ１０４）は、既存状態の画面である。ナビゲーション装置１を搭載するレンタカー会社は、メモリカードのカスタマイズ記憶エリアにお知らせデータを格納することにより、お知らせ画面を表示するための「お知らせ」ボタンをＡＶ通常領域に付加することができる。図１５は、「お知らせ」ボタンが付加されたマルチ画面（Ｄ１０２）の例を示す図である。図１５の例では、ＡＶ通常領域の「ＯＦＦ」ボタンの下の空き領域に「お知らせ」ボタンが表示されている。この場合、ＡＶ全画面（Ｄ１０４）においても同様の位置に「お知らせ」ボタンが表示される。
【００７３】
図１６は、マルチ画面及びＡＶ全画面の表示処理を示すフローチャートである。映像処理機能部５７は、マルチ画面（Ｄ１０２）又はＡＶ全画面（Ｄ１０４）を表示させる際には、初期処理機能部５０によりメモリカードから読み出され保持されたお知らせデータの存在を確認する（Ｓ１７１）。映像処理機能部５７は、お知らせデータが存在する場合には（Ｓ１７１；ＹＥＳ）、マルチ画面（Ｄ１０２）及びＡＶ全画面（Ｄ１０４）のＡＶ通常領域に「お知らせ」ボタンを表示させる（Ｓ１７２）。一方で、映像処理機能部５７は、お知らせデータが存在しない場合には（Ｓ１７１；ＮＯ）、「お知らせ」ボタンを表示させない、即ち、各画面を既存状態で表示させる（Ｓ１７３）。
【００７４】
図１７は、お知らせ画面の例を示す図である。マルチ画面（Ｄ１０２）及びＡＶ全画面（Ｄ１０４）のＡＶ通常領域に表示されている「お知らせ」ボタンが押されたことを操作
処理機能部５１が検知すると、映像処理機能部５７は、図１７に示すようなお知らせ画面（Ｄ３０１）をタッチパネル２１に表示させる。映像処理機能部５７は、図１７に示すように、ＡＶ領域の「お知らせ」ボタンから立ち上がるように、お知らせ画面（Ｄ３０１）をポップアップ表示する。なお、ポップアップ表示とは、画面に表示されるボタンを押すと、そのボタンから立ち上がるように表示されることを示す。お知らせ画面（Ｄ３０１）は、初期処理機能部５０によりメモリカードから読み出され保持されているお知らせデータに基づいて生成される。お知らせデータは、お知らせ画面に表示される文字列情報を含むテキストファイルとして生成される。レンタカー会社の担当者は、お知らせ画面に表示させたい文字列を含むお知らせデータを他のコンピュータにより生成し、この生成されたデータをメモリカードに格納することで、所望のお知らせ画面を表示させることができる。逆に、お知らせ画面を表示させる必要のない場合には、お知らせデータをメモリカードに格納しなければよい。例えば、レンタカー会社は、レンタカー利用者から頻繁に問い合わせのある事項をこのお知らせ画面に表示させるようにすれば、利用者からの問い合わせを減らすことができる。
【００７５】
このように、ナビゲーション装置１によれば、装置として予め提供されていない新たな画面として、上述の利用規約画面のように自動で表示される画面を追加できるだけでなく、上記お知らせ画面のように所定ボタンの操作により表示されるような新たな画面を追加することもできる。この場合には、ユーザは、メモリカードにその画面に表示させるテキストデータを格納しさえすれば上記「お知らせ」ボタンを表示させることができ、かつそのボタンが操作された場合に所望のお知らせ画面を表示させることができる。
【００７６】
次に、ナビゲーション装置１のナビに関する画面について説明する。マルチ画面（Ｄ１０２）またはナビ全画面（Ｄ１０３）のナビ領域に表示されている「メニュー」ボタン、「目的地」ボタン、「周辺」ボタンがタッチパネル２１上で選択されたことを操作処理機能部５１が検知すると、映像処理機能部５７は、その選択されたボタンに対応する画面をタッチパネル２１上に表示させる。
【００７７】
図１８は、メニュー画面（Ｄ２０１）の例を示す図である。操作処理機能部５１により「メニュー」ボタンが押されたことが検知されると、映像処理機能部５７は、図１８に示すメニュー画面（Ｄ２０１）をタッチパネル２１に表示させる。映像処理機能部５７は、図１８に示すように、ナビ領域の「メニュー」ボタンから立ち上がるようにメニュー画面（Ｄ２０１）をポップアップ表示する。ここで、映像処理機能部５７は、メニュー画面（Ｄ２０１）が「メニュー」ボタンから徐々に立ち上がるようにアニメーション表示し、更に、マルチ画面（Ｄ１０２）がメニュー画面（Ｄ２０１）の下側に見えるようにしている。このようなポップアップ表示とすることにより、ユーザは、メニュー画面がマルチ画面から遷移して表示されていることを視覚で容易に理解することが可能であり、安心して操作することができる。なお、メニュー画面（Ｄ２０１）には、アイコンや施設表示等のユーザ設定用ボタンや、お気に入り地点の編集用ボタンが表示される。ユーザが登録した地点情報等は、ユーザデータ処理機能部５５により、制御部２０内のＲＡＭに記憶される。
【００７８】
図１９及び２０は、目的地設定画面の例を示す図である。映像処理機能部５７は、「目的地」ボタンが押されたことを操作処理機能部５１が検知すると、目的地設定画面（Ｄ２０２）をタッチパネル２１に表示させる。目的地設定画面（Ｄ２０２）の表示手法は、上述のメニュー画面（Ｄ２０１）と同様である。目的地設定画面（Ｄ２０２）には、図１９及び２０に示されるように、複数の目的地選択方法に対応した複数のボタンが表示される。図１９及び２０は、目的地設定画面（Ｄ２０２）の右側に表示されるスクロールバー等を選択することにより切り替えられる。目的地選択方法としては、各ボタンに対応して、５０音、電話番号、住所、履歴、お気に入り、携帯連携、施設／ジャンル、先程の地図、マップコードを用いた選択方法が提供される。これら選択方法のうち、５０音、電話番号
、住所、施設／ジャンル、マップコードを用いた選択方法では、メモリカード内の標準記憶エリアに格納されるＰＯＩデータ及びＰＯＩ詳細データが利用される。
【００７９】
映像処理機能部５７は、操作処理機能部５１が目的地設定用の何れかのボタンが押されたことを検知すると、これに対応する画面を表示させる。映像処理機能部５７は、例えば、「５０音で探す」ボタンが押されれば文字入力用の画面を表示し、「住所で探す」ボタンが押されれば都道府県等を選択する画面を表示し、「携帯連携で探す」ボタンが押されれば赤外線受／発光部２５に携帯電話を近づけるようユーザに促す画面を表示し、「履歴で探す」ボタンが押されれば過去に検索したことのある目的地を表示する。赤外線受／発光部２５によって携帯電話から供される通信データには、目的地の緯度や経度、或いは住所や電話番号といった位置情報が含まれている。これらいずれかの設定方法により目的地が設定されると、ルート案内機能部５３は、測位機能部５２が計測する自車位置と目的地までの最短ルートを索出し、ルートガイドを開始する。
【００８０】
図２１及び２２は、周辺施設検索画面の例を示す図である。映像処理機能部５７は、「周辺」ボタンが押されたことを操作処理機能部５１が検知すると、周辺施設検索画面（Ｄ２０３）をタッチパネル２１に表示させる。この表示方法は、上記目的地設定画面（Ｄ２０２）と同様のポップアップ表示である。周辺施設検索画面（Ｄ２０３）には、図２１及び２２に示されるように、検索対象の各カテゴリに対応した複数のボタンが表示される。図２１及び２２は、周辺施設検索画面（Ｄ２０３）の右側に表示されるスクロールバー等を選択することにより切り替えられる。検索対象のカテゴリとしては、各ボタンに対応して、ガソリンスタンド、コンビニ（コンビニエンスストア）、駐車場、ファミレス（ファミリーレストラン）、銀行、ファーストフード、その他施設が提供される。これら検索される各施設は、メモリカード内の標準記憶エリアに格納されるＰＯＩデータ及びＰＯＩ詳細データが利用される。映像処理機能部５７は、操作処理機能部５１が検索対象のカテゴリに対応するボタンが押されたことを検知すると、そのカテゴリに属する施設（ＰＯＩ）を自車位置に近い施設から順に索出してリスト表示させる。
【００８１】
上述したような目的地設定画面（Ｄ２０２）や周辺検索画面（Ｄ２０３）等で目的地が設定されると、ルート案内機能部５３によるルートガイドが開始される。ルート案内機能部５３は、測位機能部５２が計測する自車位置と、地図データ処理機能部５４がメモリカードから読み出す地図データとに基づいてルートの案内を行う。ルート案内機能部５３は、右折あるいは左折等を行う交差点に車両が接近したら、図２３に示すような交差点拡大画面（Ｄ２０４）を表示すると共に、音声処理機能部５６に経路案内用の音声データを渡す。図２３は、交差点拡大画面（Ｄ２０４）の例を示す図である。図２３に示すように、ナビ領域には交差点の拡大図が表示され、車両の進むべき進路が矢印で図示される。なお、このとき、ＡＶ領域には、オーディオ／ビジュアル用の操作ボタン類が表示されている。
【００８２】
〈目的地設定時〉
次に、ナビゲーション装置１の目的地設定時の動作について説明する。ナビゲーション装置１は、目的地の設定方法として、上述したような目的地設定画面（Ｄ２０２）や周辺施設検索画面（Ｄ２０３）により設定する方法（以降、第１設定方法と表記する）と、マルチ画面（Ｄ１０２）やナビ全画面（Ｄ１０３）に表示されている「返却場所」ボタンが押されることにより予めレンタカーの返却先として登録されているレンタカー会社の営業所を目的地に設定する方法と、マルチ画面（Ｄ１０２）やナビ全画面（Ｄ１０３）のナビ領域に表示される地点アイコンを選択することによりその地点アイコンの示す地点を目的地に設定する方法（以降、第２設定方法と表記する）と、を提供する。これら方法により設定される目的地は、通常時には、メモリカードの標準記憶エリアに格納されるＰＯＩデータに含まれる１地点であり、ユーザデータ処理機能部５５により管理される。
【００８３】
本実施形態におけるナビゲーション装置１は、目的地として設定可能な地点をレンタカー会社等のユーザにより追加可能としている。レンタカー会社の担当者は、他のコンピュータにより追加したい地点情報（追加ＰＯＩデータ）を生成し、メモリカードのカスタマイズ記憶エリアに格納することで、ナビゲーション装置１上でこの追加した地点を目的地として選択可能とさせることができる。追加ＰＯＩデータは、追加される各地点について、緯度情報及び経度情報のＰＯＩデータと、施設名称、住所、電場番号、ジャンル名等のＰＯＩ詳細データとをそれぞれ含むように生成される。追加ＰＯＩデータは追加された各ＰＯＩのアイコンデータも含むように生成される。以下、メモリカードの標準記憶エリアに格納されるＰＯＩデータ及びＰＯＩ詳細データを標準ＰＯＩデータとも表記する。一般的には、標準ＰＯＩデータには、コンビニエンスストアやガソリンスタンド等のような一般ユーザが立ち寄り易い施設や、人気スポット等のような有名な施設や大規模な施設が地点情報として含まれる。よって、ユーザは、新設された施設やスポット、自社営業所等のようなマイナーな施設やスポットは標準ＰＯＩデータに含まれていないため、これらを目的地として設定したい場合にはそれら地点を追加ＰＯＩデータに含めればよい。
【００８４】
以下、追加ＰＯＩデータがユーザから提供された場合のナビゲーション装置１の目的地設定時の動作例について、上記第１設定方法を用いる場面と第２設定方法を用いる場面とに分けてそれぞれ詳述する。
【００８５】
《第１設定方法》
図２４は、追加ＰＯＩデータが提供された場合の目的地設定画面の例を示す図である。図２５は、追加ＰＯＩデータが提供された場合の周辺施設検索画面を示す図である。図２４及び２５に示すように、追加ＰＯＩデータが提供されている場合の目的地設定画面及び周辺施設検索画面には、「追加データで探す」ボタンがそれぞれ追加される。具体的には、映像処理機能部５７は、目的地設定画面及び周辺施設検索画面を表示する際に、初期処理機能部５０によりメモリカードから読み出され保持されている追加ＰＯＩデータが存在するか否かを確認し、追加ＰＯＩデータが存在する場合に「追加データで探す」ボタンを表示させる。なお、追加ＰＯＩデータが提供されていない場合の目的地設定画面及び周辺施設検索画面は、図２０及び２２に示したとおりである。
【００８６】
映像処理機能部５７は、操作処理機能部５１が「追加データで探す」ボタンが押されたことを検知すると、文字入力用の画面を表示する。映像処理機能部５７は、この文字入力用の画面において入力された文字列を操作処理機能部５１から取得し、この文字列を施設名称に含む地点を追加ＰＯＩデータから抽出する。図２６は、追加データ検索結果を表示する追加データ検索画面の例を示す図である。図２６は、追加ＰＯＩデータとして、標準ＰＯＩデータに含まれていない自社の営業所が設定されている例を示している。この追加データ検索画面（Ｄ４０１）では、ユーザによって追加された地点情報（追加ＰＯＩデータ）のみの中から所定条件で抽出された地点情報のリストが表示される。図２６の例によれば、追加データ検索画面（D４０１）には、追加ＰＯＩデータから抽出された各地点に
関しその名称とアイコンが表示される。
【００８７】
一方で、目的地設定画面及び周辺施設検索画面の「追加データで探す」ボタン以外のボタンが選択された場合には、標準ＰＯＩデータ及び追加ＰＯＩデータの両データの中から所望の地点が検索される。図２７は、追加ＰＯＩデータが提供されている場合の目的地設定画面及び周辺施設検索画面での検索処理を示すフローチャートである。ここでは、目的地設定画面の「５０音で探す」ボタンが押された場合を例に挙げる。
【００８８】
映像処理機能部５７は、操作処理機能部５１が「５０音で探す」ボタンが押されたことを検知すると、文字入力用の画面を表示する。映像処理機能部５７は、この文字入力用の
画面において入力された文字列を操作処理機能部５１から取得する（Ｓ２８１）。映像処理機能部５７は、メモリカードの標準記憶エリアに格納されるＰＯＩ詳細データからこの文字列を施設名称に含む地点（標準ＰＯＩ）を検索する（Ｓ２８２）。当該ＰＯＩ詳細データとＰＯＩデータとは各地点について関連付けられている。よって、このとき、映像処理機能部５７は、抽出された各地点についてＰＯＩデータとＰＯＩ詳細データ（施設名称、住所等）とをそれぞれ取得する。
【００８９】
次に、映像処理機能部５７は、初期処理機能部５０によりメモリカードから読み出され保持されている追加ＰＯＩデータの存在を確認する（Ｓ２８３）。映像処理機能部５７は、追加ＰＯＩデータが存在する場合には（Ｓ２８３；ＹＥＳ）、追加ＰＯＩデータから入力された文字列を施設名称として含む地点（追加ＰＯＩ）を検索する（Ｓ２８４）。映像処理機能部５７は、その検索の結果、少なくとも１つの追加ＰＯＩが抽出された場合には（Ｓ２８５；ＹＥＳ）、検索結果を表示する画面に、抽出された追加ＰＯＩを上記取得されている標準ＰＯＩよりも優先的に表示する（Ｓ２８６）。具体的には、検索結果を表示する画面がリスト画面である場合には、追加ＰＯＩがリストの上部に表示され、標準ＰＯＩが追加ＰＯＩよりもリストの下部に表示される。検索結果を表示する画面がリスト画面でない場合には、例えば、追加ＰＯＩが標準ＰＯＩよりも見え易い態様で表示される。なお、追加ＰＯＩデータが存在しない場合（Ｓ２８３；ＮＯ）及び追加ＰＯＩデータは存在するが抽出された追加ＰＯＩが存在しない場合には、抽出された標準ＰＯＩのみが表示される（Ｓ２８７）。例えば、検索結果を表示する画面では、図２６に示す追加データ検索画面（Ｄ４０１）のように各地点について名称及びアイコンが表示される。このとき、追加ＰＯＩと標準ＰＯＩとが区別可能に表示されるようにしてもよい。
【００９０】
《第２設定方法》
次に、第２設定方法を用いる場面のナビゲーション装置１の目的地設定時の動作例を説明する。まず、追加ＰＯＩデータが提供されていない場合のナビゲーション装置１の動作を説明する。初期状態のナビゲーション装置１では、マルチ画面（Ｄ１０２）やナビ全画面（Ｄ１０３）のナビ領域には地点アイコンが表示されていない。ナビゲーション装置１は、図２８及び２９に示すような施設表示画面（Ｄ５０１）により選択されたカテゴリに属する施設を当該ナビ領域においてアイコン表示する。図２８及び２９は、施設表示画面の例を示す図である。
【００９１】
映像処理機能部５７は、メニュー画面（Ｄ２０１）内の「施設表示」ボタンが押されたことを操作処理機能部５１が検知すると、施設表示画面（Ｄ５０１）をタッチパネル２１に表示させる。施設表示画面（Ｄ５０１）には、図２８及び２９に示されるように、各ジャンルに対応した複数のボタンが表示される。なお、図２８及び２９は、施設表示画面（Ｄ５０１）の右側に表示されるスクロールバー等を選択することにより切り替えられる。施設ジャンルとしては、各ボタンに対応して、ガソリンスタンド、コンビニ（コンビニエンスストア）、駐車場、ファミレス（ファミリーレストラン）、銀行、ファーストフード、その他施設が提供される。
【００９２】
映像処理機能部５７は、施設表示画面（Ｄ５０１）においていずれかのボタンが選択され「表示」ボタンが押されたことを操作処理機能部５１が検知すると、この選択されたボタンに対応するジャンルに属する施設（ＰＯＩ）に関し、当該ナビ領域にアイコン表示させる。この各ＰＯＩのアイコンは、メモリカード内の標準記憶エリアに格納されるＰＯＩ詳細データに含まれる。図３０は、地点アイコンが表示されたマルチ画面の例を示す図である。図３０によれば、マルチ画面のナビ領域にガソリンスタンドのアイコン「ＧＳ」（Ｃ３０１）が表示されている。施設表示画面（Ｄ５０１）で「ガソリンスタンドを表示」ボタンが選択された場合にこのようなマルチ画面が表示される。
【００９３】
映像処理機能部５７は、マルチ画面（Ｄ１０２）又はナビ全画面（Ｄ１０３）のナビ領域においていずれかの地点アイコンが選択されたことを操作処理機能部５１が検知すると、図３１に示されるように、当該ナビ領域に表示されていた「目的地」ボタン及び「周辺」ボタンを「ここに行く」ボタン及び「お気に入り」ボタンに変更する。図３１は、地点アイコンが選択された場合のマルチ画面の表示例を示す図である。映像処理機能部５７は、地点アイコンが選択された状態で「ここに行く」ボタンが押されたことを操作処理機能部５１が検知すると、その地点アイコンにより示される地点（ＰＯＩ）を目的地として設定するようにユーザデータ処理機能部５５に指示する。なお、地点アイコンが選択された状態で「お気に入り」ボタンが押された場合には、その地点アイコンにより示される地点をお気に入り情報として保持するようにユーザデータ処理機能部５５に指示する。
【００９４】
次に、追加ＰＯＩデータが提供されている場合のナビゲーション装置１の動作を説明する。図３２は、ナビ画面の表示処理を示すフローチャートである。ナビ画面とは、ナビ領域に表示される画面を意味する。映像処理機能部５７は、ナビ画面を表示すると（Ｓ３３１）、初期処理機能部５０によりメモリカードから読み出され保持されている追加ＰＯＩデータの存在を確認する（Ｓ３３２）。映像処理機能部５７は、追加ＰＯＩデータが存在する場合には（Ｓ３３２；ＹＥＳ）、その追加ＰＯＩデータに含まれる地点（追加ＰＯＩ）をその追加ＰＯＩデータに含まれるアイコンデータを用いてアイコン表示する（Ｓ３３３）。なお、映像処理機能部５７は、追加ＰＯＩデータが存在しない場合には（Ｓ３３２；ＮＯ）、そのまま次の処理へ進む。次に、映像処理機能部５７は、上述した施設表示画面（Ｄ５０１）によりアイコン表示すべき施設が選択されているか否かを確認する（Ｓ３３４）。映像処理機能部５７は、施設表示設定されている場合には（Ｓ３３４；ＹＥＳ）、その設定されているカテゴリに属する施設（標準ＰＯＩ）をアイコン表示する（Ｓ３３５）。映像処理機能部５７は、施設表示設定されていない場合には（Ｓ３３４；ＮＯ）、アイコン表示しない。
【００９５】
つまり、ナビゲーション装置１は、追加ＰＯＩデータが提供されている場合には、施設表示画面（Ｄ５０１）で施設表示設定されていなくとも、常に、ナビ画面に追加ＰＯＩデータに含まれる地点（追加ＰＯＩ）をアイコン表示する。また、ナビゲーション装置１は、追加ＰＯＩデータが提供されており施設表示設定されている場合には、追加ＰＯＩデータに含まれる追加ＰＯＩと施設表示設定されている標準ＰＯＩとを共にアイコン表示する。図３３は、追加ＰＯＩと標準ＰＯＩとが共にアイコン表示されている場合のマルチ画面の例を示す図である。この場合には、図３３に示されるように、標準か追加か区別されることなく、ナビ画面には、標準ＰＯＩ（Ｃ３４１）と追加ＰＯＩ（Ｃ３４５及びＣ３４６）とが共にアイコン表示される。なお、ナビ画面に表示されているアイコンを選択して目的地設定する手法については上述したとおりである。
【００９６】
なお、追加ＰＯＩデータが提供されている場合には、図３４に示されるように、施設表示画面（Ｄ５０１）に「追加データを表示」ボタンが表示される。図３４は、追加ＰＯＩデータが提供されている場合の施設表示画面の例を示す図である。施設表示画面（Ｄ５０１）の「追加データを表示」ボタンが選択され「表示」ボタン又は「解除」ボタンが押されると、当該ナビ領域に表示される追加ＰＯＩデータに基づく地点アイコンの表示、非表示を切り替えることができる。
【００９７】
このように、ナビゲーション装置１によれば、標準ＰＯＩデータに含まれない、新設された地点情報、小規模、マイナーな地点情報をユーザが追加することができる。ユーザは、所望の地点情報を追加ＰＯＩデータに含めメモリカードに格納しさえすれば、標準ＰＯＩデータに含まれる地点情報と共にその追加された地点情報を検索し、かつ目的地として設定することができる。更に、ナビゲーション装置１では、追加ＰＯＩデータに含まれるＰＯＩが標準ＰＯＩよりも優先的に処理される。具体的には、施設表示画面（Ｄ５０１）
で施設表示設定されていなくとも追加ＰＯＩデータに含まれる追加ＰＯＩはナビ領域にアイコン表示され、目的地設定画面及び周辺施設検索画面の「追加データで探す」ボタンが押された場合には追加ＰＯＩデータのみを対象として検索され、検索結果が表示される画面では追加ＰＯＩが標準ＰＯＩよりも上部にリスト表示される。追加ＰＯＩデータに含められるＰＯＩは、新たな施設であったり自社の営業所であったりすることが多いため、このように標準のＰＯＩよりも優先的に扱われることはユーザにとって便利である。
【００９８】
〔変形例〕
上述の実施形態では、ナビゲーション装置１がレンタカーに搭載される場合を例に挙げたため、マルチ画面（Ｄ１０２）及びナビ全画面（Ｄ１０３）のナビ領域において「返却場所」ボタンが表示される例を示したが、ナビゲーション装置１の搭載される車輌の用途に応じて、この「返却場所」ボタンに替え「自宅」ボタンや「帰社」ボタン等を表示するようにしてもよい。
【００９９】
また、上述の実施形態では、ユーザによりカスタマイズ可能なＰＯＩデータとして追加ＰＯＩデータとしたが、標準ＰＯＩデータに含まれる地点情報に変更があった場合に対応するために更新ＰＯＩデータとしてもよい。この場合、標準ＰＯＩデータ及び更新ＰＯＩデータにその地点に存在する施設（スポット）を識別するための施設識別情報（以降、施設ＩＤと表記する）をそれぞれ含める。すなわち、更新ＰＯＩデータに新たな施設やスポットを追加したい場合には他のコンピュータで新たな施設ＩＤを付与し、標準ＰＯＩデータに既に含まれる施設の位置や施設名称を変更したい場合には既に標準ＰＯＩデータで利用されている施設ＩＤを用いて更新ＰＯＩデータにその地点情報を設定する。
【０１００】
以下、変形例における更新ＰＯＩデータが提供される場合のナビゲーション装置１の動作例について図３５を用いて説明する。図３５は、ナビ画面の表示処理の変形例を示すフローチャートである。追加ＰＯＩデータの代わりに更新ＰＯＩデータが用いられるものの、更新ＰＯＩデータに基づく更新ＰＯＩがアイコン表示されるまでは上述の実施形態と同様である（Ｓ３５１、Ｓ３５２、Ｓ３５３）。
【０１０１】
映像処理機能部５７は、上述した施設表示画面（Ｄ５０１）によりアイコン表示すべき施設が選択されているか否かを確認する（Ｓ３５４）。映像処理機能部５７は、施設表示設定されている場合には（Ｓ３５４；ＹＥＳ）、その設定されているカテゴリに属する施設（標準ＰＯＩ）の標準ＰＯＩデータを取得する（Ｓ３５５）。ここで、映像処理機能部５７は、更新ＰＯＩデータが存在する場合には（Ｓ３５６；ＹＥＳ）、上記取得された標準ＰＯＩデータ内に更新ＰＯＩデータに含まれる施設ＩＤと同じ施設ＩＤが設定された標準ＰＯＩが存在するか否かを判別する（Ｓ３５７）。映像処理機能部５７は、標準ＰＯＩデータ内に更新ＰＯＩデータに含まれる施設ＩＤと同じ施設ＩＤが設定された標準ＰＯＩが存在すると判断すると（Ｓ３５７；ＹＥＳ）、この更新ＰＯＩデータに含まれる施設ＩＤと同じ施設ＩＤが設定された標準ＰＯＩを表示対象から除外する（Ｓ３５８）。映像処理機能部５７は、表示対象から除外された標準ＰＯＩ以外の標準ＰＯＩをアイコン表示させる（Ｓ３５９）。なお、映像処理機能部５７は、更新ＰＯＩデータが存在しない場合（Ｓ３５６；ＮＯ）、及び標準ＰＯＩデータ内に更新ＰＯＩデータに含まれる施設ＩＤと同じ施設ＩＤが設定された標準ＰＯＩが存在しない場合（Ｓ３５７；ＮＯ）には、取得された標準ＰＯＩデータに含まれるＰＯＩをそのままアイコン表示させる（Ｓ３５９）。
【０１０２】
すなわち、この変形例によれば、標準ＰＯＩデータに含まれない施設等を追加できるだけでなく、標準ＰＯＩデータに含まれている施設で移転されたり名称が変更されたりした施設を更新ＰＯＩデータに含めれば、標準ＰＯＩデータに含まれる情報に依存されずその変更が反映された地点アイコンを表示させることができる。このような地点情報の変更をメモリカードの再発行を待つことなく、レンタカー会社等のユーザにより即座に対応する
ことが可能となる。
【０１０３】
この変形例は、地点アイコン表示だけでなく、目的地設定画面及び周辺施設検索画面による検索にも対応可能である。図３６は、追加ＰＯＩデータが提供されている場合の目的地設定画面及び周辺施設検索画面での検索処理の変形例を示すフローチャートである。追加ＰＯＩデータの代わりに更新ＰＯＩデータが用いられるものの、入力された文字列により標準ＰＯＩデータ及び追加ＰＯＩデータが抽出されるまでは上述の実施形態と同様である（Ｓ２８１、Ｓ２８２、Ｓ２８３、Ｓ２８４、Ｓ２８５）。
【０１０４】
映像処理機能部５７は、少なくとも１つの更新ＰＯＩが抽出された場合には（Ｓ２８５；ＹＥＳ）、同様に抽出された標準ＰＯＩデータ内にその抽出された更新ＰＯＩデータに含まれる施設ＩＤと同じ施設ＩＤが設定された標準ＰＯＩが存在するか否かを判別する（Ｓ３６１）。映像処理機能部５７は、抽出された標準ＰＯＩデータ内に抽出された更新ＰＯＩデータに含まれる施設ＩＤと同じ施設ＩＤが設定された標準ＰＯＩが存在すると判断すると（Ｓ３６１；ＹＥＳ）、抽出された標準ＰＯＩデータの中から、この更新ＰＯＩデータに含まれる施設ＩＤと同じ施設ＩＤが設定された標準ＰＯＩを除外する（Ｓ３６２）。映像処理機能部５７は、除外された標準ＰＯＩを除く抽出された標準ＰＯＩを、抽出された更新ＰＯＩよりも優先的に表示させる（Ｓ３６３）。
【０１０５】
この変形例によれば、標準ＰＯＩデータに含まれる施設であっても、標準ＰＯＩデータに含まれる情報に依存されず変更が反映された地点情報で検索結果を参照することができる。
【図面の簡単な説明】
【０１０６】
【図１】ナビゲーション装置の外観図。
【図２】ナビゲーション装置の構成図。
【図３】ディスプレイの動作を示す図。
【図４】制御部が実現する各種諸機能を示す機能ブロック図。
【図５】ナビゲーション装置の起動時の処理を示すフローチャート。
【図６】オープニング画面が変更される概念を示す図。
【図７】利用規約画面の例を示す図。
【図８】ナビゲーション装置のメイン画面の画面遷移図。
【図９】ナビの画面遷移図。
【図１０】ＡＶ画面の表示モードを示す図。
【図１１】マルチ画面の例を示す図。
【図１２】ナビ全画面の例を示す図。
【図１３】ＡＶ全画面の例を示す図。
【図１４】メイン画面の画面遷移を示す概念図。
【図１５】「お知らせ」ボタンが付加されたマルチ画面の例を示す図。
【図１６】マルチ画面及びＡＶ全画面の表示処理を示すフローチャート。
【図１７】お知らせ画面の例を示す図。
【図１８】メニュー画面の例を示す図。
【図１９】目的地設定画面の例を示す図。
【図２０】目的地設定画面の例を示す図。
【図２１】周辺施設検索画面の例を示す図。
【図２２】周辺施設検索画面の例を示す図。
【図２３】交差点拡大画面の例を示す図。
【図２４】追加ＰＯＩデータが提供された場合の目的地設定画面の例を示す図。
【図２５】追加ＰＯＩデータが提供された場合の周辺施設検索画面の例を示す図。
【図２６】追加データ検索画面の例を示す図。
【図２７】追加ＰＯＩデータが提供されている場合の目的地設定画面及び周辺施設検索画面での検索処理を示すフローチャート。
【図２８】施設表示画面の例を示す図。
【図２９】施設表示画面の例を示す図。
【図３０】地点アイコンが表示されたマルチ画面の例を示す図。
【図３１】地点アイコンが選択された場合のマルチ画面の表示例を示す図。
【図３２】ナビ画面の表示処理を示すフローチャート。
【図３３】追加ＰＯＩと標準ＰＯＩとが共にアイコン表示されている場合のマルチ画面の例を示す図。
【図３４】追加ＰＯＩデータが提供されている場合の施設表示画面の例を示す図。
【図３５】ナビ画面の表示処理の変形例を示すフローチャート。
【図３６】追加ＰＯＩデータが提供されている場合の目的地設定画面及び周辺施設検索画面での検索処理の変形例を示すフローチャート。
【符号の説明】
【０１０７】
１・・・ナビゲーション装置
２・・・メインユニット
３・・・ディスプレイユニット
１７・・カードメモリインターフェース
２０・・制御部
２１・・タッチパネル
２２・・表示処理部
２３・・操作受付部
２８・・カード挿入口
５０・・初期処理機能部
５１・・操作処理機能部
５２・・測位機能部
５３・・ルート案内機能部
５４・・地図データ処理機能部
５５・・ユーザデータ処理機能部
５６・・音声処理機能部
５７・・映像処理機能部
【図１】
2010066207.tif 000003
【図２】
2010066207.tif 000004
【図３】
2010066207.tif 000005
【図４】
2010066207.tif 000006
【図５】
2010066207.tif 000007
【図６】
2010066207.tif 000008
【図７】
2010066207.tif 000009
【図８】
2010066207.tif 000010
【図９】
2010066207.tif 000011
【図１０】
2010066207.tif 000012
【図１１】
2010066207.tif 000013
【図１２】
2010066207.tif 000014
【図１３】
2010066207.tif 000015
【図１４】
2010066207.tif 000016
【図１５】
2010066207.tif 000017
【図１６】
2010066207.tif 000018
【図１７】
2010066207.tif 000019
【図１８】
2010066207.tif 000020
【図１９】
2010066207.tif 000021
【図２０】
2010066207.tif 000022
【図２１】
2010066207.tif 000023
【図２２】
2010066207.tif 000024
【図２３】
2010066207.tif 000025
【図２４】
2010066207.tif 000026
【図２５】
2010066207.tif 000027
【図２６】
2010066207.tif 000028
【図２７】
2010066207.tif 000029
【図２８】
2010066207.tif 000030
【図２９】
2010066207.tif 000031
【図３０】
2010066207.tif 000032
【図３１】
2010066207.tif 000033
【図３２】
2010066207.tif 000034
【図３３】
2010066207.tif 000035
【図３４】
2010066207.tif 000036
【図３５】
2010066207.tif 000037
【図３６】
2010066207.tif 000038